【手続補正書】
【提出日】平成17年3月11日(2005.3.11)
【手続補正１】
【補正対象書類名】特許請求の範囲
【補正対象項目名】全文
【補正方法】変更
【補正の内容】
【特許請求の範囲】
【請求項１】
ユーザの嗜好に関する第１のデータを管理する第１の管理手段と、
情報に関する第２のデータを管理する第２の管理手段と、
前記ユーザが利用した前記情報に関する前記第２のデータを抽出する抽出手段と、
前記抽出手段により抽出された前記第２のデータを用いて前記第１のデータを更新する更新手段と
を備え、
前記更新手段は、前記第２のデータが、前記第１のデータ内に存在している場合、その存在している第１のデータを第２のデータを用いて更新し、前記第２のデータが、前記第１のデータ内に存在していない場合、前記第２のデータを前記第１のデータに追加する
ことを特徴とする情報処理装置。
【請求項２】
前記第１の管理手段は、前記第１のデータとして、第１の要素とその第１の要素に関して前記ユーザが有する数値化された第１の値を関連付けて管理し、
前記第２の管理手段は、前記第２のデータとして、前記情報に関する第２の要素とその第２の要素に関して前記情報が有する数値化された第２の値を関連付けて管理し、
前記更新手段は、前記第２のデータ内の前記第２の要素と一致する前記第１の要素が、前記第１のデータ内に存在している場合、前記第１の値と前記第２の値を用いて新たな第１の値を算出し、その新たな第１の値を前記第１のデータに書き込み、前記第２のデータ内の前記第２の要素と一致する前記第１の要素が前記第１のデータ内に存在していない場合、前記第２の要素と前記第２の値を、前記第１のデータに追加する
ことを特徴とする請求項１に記載の情報処理装置。
【請求項３】
データを管理するための記憶手段と、記憶手段に記憶されている前記データを用いて所定の処理を実行する制御手段とを少なくとも備えた情報処理装置の情報処理方法であって、
ユーザの嗜好に関する第１のデータを管理する第１の管理ステップと、
情報に関する第２のデータを管理する第２の管理ステップと、
前記ユーザが利用した前記情報に関する前記第２のデータを抽出する抽出ステップと、
前記抽出ステップの処理で抽出された前記第２のデータを用いて前記第１のデータを更新する更新ステップと
を含み、
前記更新ステップの処理は、前記第２のデータが、前記第１のデータ内に存在している場合、その存在している第１のデータを第２のデータを用いて更新し、前記第２のデータが、前記第１のデータ内に存在していない場合、前記第２のデータを前記第１のデータに追加する
ことを特徴とする情報処理方法。
【請求項４】
データを管理するための記憶手段と、記憶手段に記憶されている前記データを用いて所定の処理を実行する制御手段とを少なくとも備えた情報処理装置のプログラムであって、
ユーザの嗜好に関する第１のデータを管理する第１の管理ステップと、
情報に関する第２のデータを管理する第２の管理ステップと、
前記ユーザが利用した前記情報に関する前記第２のデータを抽出する抽出ステップと、
前記抽出ステップの処理で抽出された前記第２のデータを用いて前記第１のデータを更新する更新ステップと
を含み、
前記更新ステップの処理は、前記第２のデータが、前記第１のデータ内に存在している場合、その存在している第１のデータを第２のデータを用いて更新し、前記第２のデータが、前記第１のデータ内に存在していない場合、前記第２のデータを前記第１のデータに追加する
ことを特徴とするプログラム。
【請求項５】
ユーザの嗜好情報に基づき、番組を推薦する情報処理装置であって、
前記ユーザの前記嗜好情報を管理し、前記番組の第１の出演者の特徴および前記第１の出演者の前記特徴に対応する特徴量を、前記第１の出演者毎に管理する第１の管理手段と、
前記番組の属性情報を管理する第２の管理手段と、
前記第２の管理手段により管理される前記番組のうち、前記ユーザが利用した前記番組の前記属性情報を抽出する抽出手段と
を備え、
前記第１の管理手段は、前記抽出手段により抽出された前記属性情報に含まれる第２の出演者を抽出し、抽出された前記第２の出演者が前記第１の出演者に対応する場合、前記第１の出演者の前記特徴または前記特徴量に基づき、前記ユーザの前記嗜好情報を変更する
ことを特徴とする情報処理装置。
【請求項６】
前記第１の管理手段は、前記２の出演者に対応する前記第１の出演者の前記特徴または前記特徴量を、前記抽出手段により抽出された前記番組の前記属性情報に基づき、変更または追加する
ことを特徴とする請求項５に記載の情報処理装置。
【請求項７】
ユーザの嗜好情報に基づき、番組を推薦する情報処理方法であって、
前記ユーザの前記嗜好情報を管理し、前記番組の第１の出演者の特徴および前記第１の出演者の前記特徴に対応する特徴量を、前記第１の出演者毎に管理する第１の管理ステップと、
前記番組の属性情報を管理する第２の管理ステップと、
前記第２の管理ステップの処理で管理される前記番組のうち、前記ユーザが利用した前記番組の前記属性情報を抽出する抽出ステップと
を含み、
前記第１の管理ステップの処理は、前記抽出ステップの処理で抽出された前記属性情報に含まれる第２の出演者を抽出し、抽出された前記第２の出演者が前記第１の出演者に対応する場合、前記第１の出演者の前記特徴または前記特徴量に基づき、前記ユーザの前記嗜好情報を変更する
ことを特徴とする情報処理方法。
【請求項８】
データを管理するための記憶手段と、記憶手段に記憶されている前記データを用いて所定の処理を実行する制御手段とを少なくとも備え、ユーザの嗜好情報に基づき、番組を推薦する情報処理装置のプログラムであって、
前記ユーザの前記嗜好情報を管理し、前記番組の第１の出演者の特徴および前記第１の出演者の前記特徴に対応する特徴量を、前記第１の出演者毎に管理する第１の管理ステップと、
前記番組の属性情報を管理する第２の管理ステップと、
前記第２の管理ステップの処理で管理される前記番組のうち、前記ユーザが利用した前記番組の前記属性情報を抽出する抽出ステップと
を含み、
前記第１の管理ステップの処理は、前記抽出ステップの処理で抽出された前記属性情報に含まれる第２の出演者を抽出し、抽出された前記第２の出演者が前記第１の出演者に対応する場合、前記第１の出演者の前記特徴または前記特徴量に基づき、前記ユーザの前記嗜好情報を変更する
ことを特徴とするプログラム。
【手続補正２】
【補正対象書類名】明細書
【補正対象項目名】発明の名称
【補正方法】変更
【補正の内容】
【発明の名称】情報処理装置および方法、並びにプログラム
【手続補正３】
【補正対象書類名】明細書
【補正対象項目名】０００１
【補正方法】変更
【補正の内容】
【０００１】
本発明は、情報処理装置および方法、並びにプログラムに関し、特に、ユーザの嗜好に基づく情報を提供する際に用いて好適な情報処理装置および方法、並びにプログラムに関する。
【手続補正４】
【補正対象書類名】明細書
【補正対象項目名】００１１
【補正方法】変更
【補正の内容】
【００１１】
本発明の第１の情報処理装置は、ユーザの嗜好に関する第１のデータを管理する第１の管理手段と、情報に関する第２のデータを管理する第２の管理手段と、ユーザが利用した情報に関する第２のデータを抽出する抽出手段と、抽出手段により抽出された第２のデータを用いて第１のデータを更新する更新手段とを備え、更新手段は、第２のデータが、第１のデータ内に存在している場合、その存在している第１のデータを第２のデータを用いて更新し、第２のデータが、第１のデータ内に存在していない場合、第２のデータを第１のデータに追加することを特徴とする。
【手続補正５】
【補正対象書類名】明細書
【補正対象項目名】００１３
【補正方法】変更
【補正の内容】
【００１３】
本発明の第１の情報処理方法は、データを管理するための記憶手段と、記憶手段に記憶されているデータを用いて所定の処理を実行する制御手段とを少なくとも備えた情報処理装置の情報処理方法であって、ユーザの嗜好に関する第１のデータを管理する第１の管理ステップと、情報に関する第２のデータを管理する第２の管理ステップと、ユーザが利用した情報に関する第２のデータを抽出する抽出ステップと、抽出ステップの処理で抽出された第２のデータを用いて第１のデータを更新する更新ステップとを含み、更新ステップの処理は、第２のデータが、第１のデータ内に存在している場合、その存在している第１のデータを第２のデータを用いて更新し、第２のデータが、第１のデータ内に存在していない場合、第２のデータを第１のデータに追加することを特徴とする。
【手続補正６】
【補正対象書類名】明細書
【補正対象項目名】００１４
【補正方法】変更
【補正の内容】
【００１４】
本発明の第１のプログラムは、データを管理するための記憶手段と、記憶手段に記憶されているデータを用いて所定の処理を実行する制御手段とを少なくとも備えた情報処理装置のプログラムであって、ユーザの嗜好に関する第１のデータを管理する第１の管理ステップと、情報に関する第２のデータを管理する第２の管理ステップと、ユーザが利用した情報に関する第２のデータを抽出する抽出ステップと、抽出ステップの処理で抽出された第２のデータを用いて第１のデータを更新する更新ステップとを含み、更新ステップの処理は、第２のデータが、第１のデータ内に存在している場合、その存在している第１のデータを第２のデータを用いて更新し、第２のデータが、第１のデータ内に存在していない場合、第２のデータを第１のデータに追加することを特徴とする。
【手続補正７】
【補正対象書類名】明細書
【補正対象項目名】００１５
【補正方法】変更
【補正の内容】
【００１５】
本発明の第２の情報処理装置は、ユーザの嗜好情報に基づき、番組を推薦する情報処理装置であって、ユーザの嗜好情報を管理し、番組の第１の出演者の特徴および第１の出演者の特徴に対応する特徴量を、第１の出演者毎に管理する第１の管理手段と、番組の属性情報を管理する第２の管理手段と、第２の管理手段により管理される番組のうち、ユーザが利用した番組の属性情報を抽出する抽出手段とを備え、第１の管理手段は、抽出手段により抽出された属性情報に含まれる第２の出演者を抽出し、抽出された第２の出演者が第１の出演者に対応する場合、第１の出演者の特徴または特徴量に基づき、ユーザの嗜好情報を変更することを特徴とする。
前記前記第１の管理手段は、２の出演者に対応する第１の出演者の特徴または特徴量を、抽出手段により抽出された番組の属性情報に基づき、変更または追加するようにすることができる。
本発明の第２の情報処理方法は、ユーザの嗜好情報に基づき、番組を推薦する情報処理方法であって、ユーザの嗜好情報を管理し、番組の第１の出演者の特徴および第１の出演者の特徴に対応する特徴量を、第１の出演者毎に管理する第１の管理ステップと、番組の属性情報を管理する第２の管理ステップと、第２の管理ステップの処理で管理される番組のうち、ユーザが利用した番組の属性情報を抽出する抽出ステップとを含み、第１の管理ステップの処理は、抽出ステップの処理で抽出された属性情報に含まれる第２の出演者を抽出し、抽出された第２の出演者が第１の出演者に対応する場合、第１の出演者の特徴または特徴量に基づき、ユーザの嗜好情報を変更することを特徴とする。
本発明の第２のプログラムは、データを管理するための記憶手段と、記憶手段に記憶されている前記データを用いて所定の処理を実行する制御手段とを少なくとも備え、ユーザの嗜好情報に基づき、番組を推薦する情報処理装置を制御するプログラムであって、ユーザの嗜好情報を管理し、番組の第１の出演者の特徴および第１の出演者の特徴に対応する特徴量を、第１の出演者毎に管理する第１の管理ステップと、番組の属性情報を管理する第２の管理ステップと、第２の管理ステップの処理で管理される番組のうち、ユーザが利用した番組の属性情報を抽出する抽出ステップとを含み、第１の管理ステップの処理は、抽出ステップの処理で抽出された属性情報に含まれる第２の出演者を抽出し、抽出された第２の出演者が第１の出演者に対応する場合、第１の出演者の特徴または特徴量に基づき、ユーザの嗜好情報を変更することを特徴とする。
【手続補正８】
【補正対象書類名】明細書
【補正対象項目名】００１６
【補正方法】変更
【補正の内容】
【００１６】
本発明の第１の情報処理装置および方法、並びにプログラムにおいては、ユーザの嗜好に関するデータと情報に関するデータが管理され、ユーザが所定の情報を利用した場合、そのユーザが利用した情報に関連付けられている全ての要素が読み出され、ユーザの嗜好に関するデータが、読み出された要素毎に変更、追加される。よって、ユーザの嗜好に関するデータが、情報を利用する毎に更新され、よりユーザの嗜好に合ったものとされる。
本発明の第２の情報処理装置および方法、並びにプログラムにおいては、ユーザの嗜好情報が管理され、番組の第１の出演者の特徴および第１の出演者の特徴に対応する特徴量が、第１の出演者毎に管理され、番組の属性情報が管理され、それらの番組のうち、ユーザが利用した番組の属性情報が抽出される。その抽出された属性情報に含まれる第２の出演者がさらに抽出され、その抽出された第２の出演者が第１の出演者に対応する場合、第１の出演者の特徴または特徴量に基づき、ユーザの嗜好情報が変更される。